(57)【要約】      （修正有）【課題】単一のパネルから複数の音響それぞれを個別に聞き取れるように出力することが可能な技術を提供する。【解決手段】音響出力装置は、単一の表示パネルＰ１と、表示パネルを複数の小領域に区分する領域区分体と、小領域毎に個別に配置され、小領域を個別に振動させる複数の振動素子と、超音波帯域の搬送波を可聴波帯域の音響信号で変調した駆動信号を振動素子に出力し、表示パネルの小領域を縞状に振動させる駆動部と、を備える。【選択図】図１
2019186836.tif 000002
【特許請求の範囲】
【請求項１】
単一のパネルと、
前記パネルを複数の小領域に区分する領域区分体と、
前記小領域毎に個別に配置され、前記小領域を個別に振動させる複数の振動素子と、
超音波帯域の搬送波を可聴波帯域の音響信号で変調した駆動信号を前記振動素子に出力し、前記パネルの前記小領域を縞状に振動させる駆動部と、
を備える音響出力装置。
【請求項２】
前記領域区分体は、前記パネルから突出する突起部である請求項１に記載の音響出力装置。
【請求項３】
前記領域区分体は、前記パネルと前記振動素子との間に、前記小領域毎に個別に配置された複数の伝達パネルである請求項１に記載の音響出力装置。
【請求項４】
前記パネルは、表示パネルである請求項１から請求項３のいずれかに記載の音響出力装置。
【請求項５】
前記小領域毎に出力される音響は、ステレオ再生、またはサラウンド再生の各チャンネルの音響である請求項１から請求項４のいずれかに記載の音響出力装置。
【請求項６】
前記搬送波の周波数は、前記小領域毎に異なる請求項１から請求項５のいずれかに記載の音響出力装置。
【請求項７】
前記パネルの音響の出力面から聴取者までの距離及び／または方向を検出する距離方向検出部を備え、
前記搬送波の周波数を聴取者の両耳に個別に音響が届く周波数に変更する請求項１から請求項６のいずれかに記載の音響出力装置。
【請求項８】
単一のパネルを複数に区分した小領域毎に個別に配置した複数の振動素子に対して、超音波帯域の搬送波を可聴波帯域の音響信号で変調した駆動信号を出力し、前記パネルの前記小領域を個別に縞状に振動させる音響出力装置の駆動方法。
【発明の詳細な説明】
【技術分野】
【０００１】
本発明は、音響出力装置及び音響出力装置の駆動方法に関する。
【背景技術】
【０００２】
音響出力装置において、音響を効果的に出力する技術が種々提案されている。例えば、特許文献１で提案されたフラットパネルスピーカは、パネルを振動させる複数の振動素子がパネルの互いに対向する両端付近に設けられ、パネルからの出力音声の指向性を制御することができる。例えば、パネルの左右に設けた振動素子のうち右側の振動素子のみを振動させると、パネルが左側を軸として振動し、出力音声は左方向に指向性を持つ。逆に、左側の振動素子のみを振動させると、パネルが右側を軸として振動し、出力音声は右方向に指向性を持つ。
【先行技術文献】
【特許文献】
【０００３】
【特許文献１】特開２００７−５３６０９号公報
【発明の概要】
【発明が解決しようとする課題】
【０００４】
しかしながら、例えば特許文献１で提案された従来技術では、スピーカ自体のサイズが比較的小さい場合、単一のパネルから複数の音声それぞれを個別に聞き取れるように出力することが困難であることが課題であった。これにより、例えば聴取者の両耳に対してステレオ感、サラウンド感を表現することができないことが懸念された。
【０００５】
本発明は、上記の課題に鑑みなされたものであり、単一のパネルから複数の音響それぞれを個別に聞き取れるように出力することが可能な技術を提供することを目的とする。
【課題を解決するための手段】
【０００６】
本発明に係る音響出力装置は、単一のパネルと、前記パネルを複数の小領域に区分する領域区分体と、前記小領域毎に個別に配置され、前記小領域を個別に振動させる複数の振動素子と、超音波帯域の搬送波を可聴波帯域の音響信号で変調した駆動信号を前記振動素子に出力し、前記パネルの前記小領域を縞状に振動させる駆動部と、を備える構成（第１の構成）である。
【０００７】
また、上記第１の構成の音響出力装置において、前記領域区分体は、前記パネルから突出する突起部である構成（第２の構成）であっても良い。
【０００８】
また、上記第１の構成の音響出力装置において、前記領域区分体は、前記パネルと前記振動素子との間に、前記小領域毎に個別に配置された複数の伝達パネルである構成（第３の構成）であっても良い。
【０００９】
また、上記第１から第３の構成の音響出力装置において、前記パネルは、表示パネルである構成（第４の構成）であっても良い。
【００１０】
また、上記第１から第４の構成の音響出力装置において、前記小領域毎に出力される音響は、ステレオ再生、またはサラウンド再生の各チャンネルの音響である構成（第５の構成）であっても良い。
【００１１】
また、上記第１から第５の構成の音響出力装置において、前記搬送波の周波数は、前記小領域毎に異なる構成（第６の構成）であっても良い。
【００１２】
また、上記第１から第６の構成の音響出力装置において、前記パネルの音響の出力面から聴取者までの距離及び／または方向を検出する距離方向検出部を備え、前記搬送波の周波数を聴取者の両耳に個別に音響が届く周波数に変更する構成（第７の構成）であっても良い。
【００１３】
また、本発明に係る音響出力装置の駆動方法は、単一のパネルを複数に区分した小領域毎に個別に配置した複数の振動素子に対して、超音波帯域の搬送波を可聴波帯域の音響信号で変調した駆動信号を出力し、前記パネルの前記小領域を個別に縞状に振動させる構成（第８の構成）である。
【発明の効果】
【００１４】
本発明の構成によれば、単一のパネルを複数に区分した小領域毎に個別に音響が出力される。したがって、単一のパネルから複数の音響それぞれを個別に聞き取れるように出力することが可能になる。
【図面の簡単な説明】
【００１５】
【図１】第１実施形態の音響出力装置の構成例を示す図
【図２】振動状態を示した表示パネルの正面図
【図３】表示パネル周辺を示す上面図
【図４】表示パネルの定在波と音響の指向性との関係を示す説明図
【図５】表示パネル周辺の変形例１を示す上面図
【図６】表示パネル周辺の変形例２を示す上面図
【図７】第２実施形態の音響出力装置の構成例を示す図
【図８】音響の出力手法の実施例１を示す説明図
【図９】音響の出力手法の実施例２を示す説明図
【図１０】音響の出力手法の実施例３を示す説明図
【図１１】音響の出力手法の実施例４を示す説明図
【図１２】音響の出力手法の実施例５を示す説明図
【発明を実施するための形態】
【００１６】
以下、本発明の例示的な実施形態について、図面を参照しながら詳細に説明する。なお、本発明は以下の内容に限定されるものではない。
【００１７】
＜１．第１実施形態＞
＜１−１．音響出力装置の構成＞
図１は、第１実施形態の音響出力装置の構成例を示す図である。図１に示す音響出力装置は、マイクロコンピュータ１と、ＤＳＰ（Digital Signal Processor）２と、駆動部３と、振動素子４と、表示パネルＰ１と、を備える。表示パネルＰ１は、ディスプレイ素子５と、カバーパネル（タッチパネル）６と、を有する。
【００１８】
図１に示す音響出力装置は、表示パネルＰ１の表示部側から音響を出力する機能（音響出力機能）と、表示パネルＰ１の表示部に映像を表示する機能（映像表示機能）と、表示パネルＰ１のタッチパネルに対する入力操作を検知する機能（操作検知機能）と、を備える。
【００１９】
マイクロコンピュータ１は、図１に示す音響出力装置全体を制御する。マイクロコンピュータ１は、ハードウェアとして、ＣＰＵ（Central Processing Unit）及びメモリ等を備える。マイクロコンピュータ１は、ソフトウェア的に実現される機能として、音響信号出力部１ａ、映像信号出力部１ｂ、及び操作処理部１ｃを備える。
【００２０】
音響信号出力部１ａは、音響信号ＳＧ１をＤＳＰ２に出力する。音響信号ＳＧ１は、音響信号出力部１ａ自身が生成しても良く、音響信号出力部１ａがマイクロコンピュータ１の外部から取得しても良い。
【００２１】
映像信号出力部１ｂは、映像信号ＳＧ２をディスプレイ素子５に出力する。映像信号ＳＧ２は、映像信号出力部１ｂ自身が生成しても良く、映像信号出力部１ｂがマイクロコンピュータ１の外部から取得しても良い。
【００２２】
操作処理部１ｃは、表示パネルＰ１のタッチパネルから出力される検知信号ＳＧ３を受信する。操作処理部１ｃは、検知信号ＳＧ３に基づいてタッチパネルに対する入力操作を認識し、入力操作に応じた処理を実行する。
【００２３】
ＤＳＰ２は、音響信号ＳＧ１に対して各種の信号処理を実行することで、図１に示す音響出力装置から出力される音響の音質を変更させることができる。例えば、ＤＳＰ２は、音響信号の周波数特性を変更するイコライザ機能を有する。ＤＳＰ２は、音響信号ＳＧ１に対して各種の信号処理を実行して音響信号ＳＧ１を音響信号ＳＧ４に変換し、音響信号ＳＧ４を駆動部３に出力する。
【００２４】
駆動部３は、Ｄ／Ａコンバータと、アンプと、を備える。駆動部３のＤ／Ａコンバータは、デジタル信号である音響信号ＳＧ４をアナログ信号に変換する。なお、本実施形態とは異なり、Ｄ／ＡコンバータをＤＳＰ２側に設けて、アナログ信号である音響信号ＳＧ４を駆動部３が受け取るようにしても良い。駆動部３のアンプは、Ｄ／Ａコンバータによって生成されたアナログ信号を増幅して駆動信号ＳＧ５を生成し、駆動信号ＳＧ５を振動素子４に出力する。
【００２５】
＜１−２．表示パネル周辺の構成＞
続いて、振動素子４を含む表示パネルＰ１周辺の構成について、図１に加えて、図２及び図３を用いて説明する。図２は、図１に示す音響出力装置の、振動状態を示した表示パネルＰ１の正面図である。図３は、表示パネルＰ１周辺を示す上面図である。なお、図３の上側が、表示パネルＰ１の正面側（聴取者側）であって、図３の下側が、表示パネルＰ１の背面側である。
【００２６】
振動素子４（４１、４２）は、表示パネルＰ１の背面側に配置される。振動素子４（４１、４２）は、表示パネルＰ１の、背面から見て左右に１つずつ、合計２つ配置される。振動素子４は、例えばピエゾ素子で構成される。振動素子４は、例えば印加される駆動電圧に応じて伸縮し、振動する。振動素子４は、駆動部３から受信した駆動信号ＳＧ５に応じて振動する。
【００２７】
表示パネルＰ１は、正面から見て矩形の直方体形状で構成される単一のパネルである。なお、表示パネルＰ１は、図１に示すディスプレイ素子５及びカバーパネル（タッチパネル）６を含む。
【００２８】
ディスプレイ素子５は、映像が表示される表示部を有する。ディスプレイ素子５の表示部は、表示パネルＰ１の正面側（聴取者側）に臨む。ディスプレイ素子５は、正面から見て矩形の、例えば有機ＥＬ（Electro Luminescence）フィルムで構成される。ディスプレイ素子５は、マイクロコンピュータ１から受信した映像信号ＳＧ２に基づく映像を表示部に表示する。
【００２９】
カバーパネル６は、ディスプレイ素子５の表示部側であって、表示パネルＰ１の正面側に配置される。カバーパネル６は、正面から見てディスプレイ素子５と同等かそれ以上の大きさを有する矩形のパネルであって、ディスプレイ素子５の表示部側の全面を覆う。カバーパネル６は、例えばガラスによって構成される。カバーパネル６の背面側であって、ディスプレイ素子５の表示部との間にはタッチパネルが配置される。
【００３０】
タッチパネルの検出方式は特に限定されないが、タッチパネルは静電容量方式であることが好ましい。タッチパネルは、検知信号ＳＧ３をマイクロコンピュータ１に出力する。検知信号ＳＧ３は、操作者の指やタッチペン等の操作体の接触状態、或いは近接状態を示す信号であって、タッチパネルに対する操作体の接触の有無、或いは近接の有無に関する情報を含む。また、タッチパネルに対して操作体が接触、或いは近接している場合、検知信号ＳＧ３は接触位置、或いは近接位置に関する情報も含む。
【００３１】
表示パネルＰ１は、さらに図２及び図３に示す領域区分体である突起部５ａを備える。突起部５ａは、表示パネルＰ１のディスプレイ素子５から突出する。突起部５ａは、ディスプレイ素子５の背面から後方に向かって突出する。突起部５ａは、ディスプレイ素子５の背面の、左右方向の中央部に配置され、上下方向に直線状に延びる。これにより、領域区分体である突起部５ａは、表示パネルＰ１を左右２つの小領域Ｒ１、Ｒ２に区分する。
【００３２】
２つの振動素子４１、４２は、左右２つの小領域Ｒ１、Ｒ２毎に個別に配置される。２つの振動素子４１、４２それぞれは、小領域Ｒ１、Ｒ２の上下左右の中央部に配置される。なお、振動素子４１、４２は、中央部以外の箇所に配置しても良い。２つの振動素子４１、４２それぞれは、小領域Ｒ１、Ｒ２を個別に振動させる。
【００３３】
駆動部３が振動素子４１、４２に出力する駆動信号ＳＧ５は、超音波帯域の搬送波を可聴波帯域の音響信号で変調した信号である。搬送波は、超音波帯域の正弦波信号であって、表示パネルＰ１に定在波を発生させ、表示パネルＰ１を縞状に振動させる周波数である。すなわち、駆動部３は、２つの振動素子４１、４２それぞれを介して、表示パネルＰ１の小領域Ｒ１、Ｒ２を縞状に振動させる。
【００３４】
図２には、表示パネルＰ１の振動状態と定在波Ｗ１、Ｗ２の関係を示した。２つの振動素子４１、４２それぞれは、駆動信号ＳＧ５に応じて振動し、表示パネルＰ１の小領域Ｒ１、Ｒ２それぞれに定在波Ｗ１、Ｗ２を発生させる。なお、説明の便宜上、図２の表示パネルＰ１上には、定在波Ｗ１、Ｗ２の腹Ｗａを一点鎖線で示し、定在波Ｗ１、Ｗ２の節Ｗｎを二点鎖線で示した。定在波Ｗ１、Ｗ２の腹Ｗａ及び節Ｗｎの個数は、図２に例示した個数に限定されるわけではない。定在波Ｗ１、Ｗ２の腹Ｗａ及び節Ｗｎは、表示パネルＰ１の左右横方向に沿って等間隔で発生する。
【００３５】
上記構成の音響出力装置において、２つの振動素子４１、４２それぞれは、駆動部３から受信した駆動信号ＳＧ５に応じて振動する。２つの振動素子４１、４２は、表示パネルＰ１の小領域Ｒ１、Ｒ２を個別に振動させる。これにより、音響出力装置の表示パネルＰ１の表示部側から、音が音響出力装置の外部に出力される。
【００３６】
次に、図１に示す音響出力装置が出力する音響の指向性について説明する。図４は、表示パネルの定在波と音響の指向性との関係を示す説明図である。説明の便宜上、図４では、定在波Ｗを部分的に示した。また、定在波Ｗにおいて位相が等しく、隣り合う腹を線状振動領域Ｗａ１、Ｗａ２とし、線状振動領域Ｗａ１、Ｗａ２で発生する超音波の表示パネルＰ１に対する角度θとした。
【００３７】
任意の角度θに対して、線状振動領域Ｗａ１、Ｗａ２で発生する超音波は、距離Ｄｓｉｎθだけ位相がずれる。搬送波の波長をλとすると、距離Ｄｓｉｎθが波長λ／２の奇数倍となる角度θにおいて、線状振動領域Ｗａ１、Ｗａ２で発生する超音波は互いに打消し合う。一方、距離Ｄｓｉｎθが波長λの整数倍（波長λ／２の偶数倍）となる角度θにおいて、線状振動領域Ｗａ１、Ｗａ２で発生する超音波は互いに強め合う。そして、超音波が空間を伝搬する際や超音波が剛体に反射する際の超音波の非線形歪みによる自然復調現象によって、可聴波帯域の音波が生成される。
【００３８】
このように、線状振動領域Ｗａ１、Ｗａ２で発生する超音波は、位相干渉（強調及び打ち消し）によって、特定方向に進行させることができる。そして、超音波の非線形歪みによる自然復調現象によって可聴波帯域の音波が生成されることにで、表示パネルＰ１が出力する音響は、特定方向に狭い指向性を有する。
【００３９】
上記第１実施形態の構成によれば、音響出力装置は、単一の表示パネルＰ１を複数に区分した小領域Ｒ１、Ｒ２毎に個別に配置した２つの振動素子４１、４２によって、小領域Ｒ１、Ｒ２を個別に縞状に振動させるので、小領域Ｒ１、Ｒ２毎に個別に音響を出力することができる。したがって、単一の表示パネルＰ１から複数の音響それぞれを個別に聞き取れるように出力することが可能になる。すなわち、単一の表示パネルＰ１によって、例えば音響のステレオ再生が可能になる。
【００４０】
また、単一の表示パネルＰ１を小領域Ｒ１、Ｒ２に区分する領域区分体が、表示パネルＰ１のディスプレイ素子５から突出する突起部５ａであるので、領域区分体を容易に形成することができる。すなわち、単一の表示パネルＰ１から複数の音響それぞれを個別に聞き取ることができる構成を容易に形成することが可能になる。
【００４１】
また、単一のパネルは表示パネルＰ１であるので、映像が表示される表示パネルＰ１自体から、個別に聞き取ることが可能な複数の音響を出力することができる。これにより、映像と音響との調和を図ることが可能になる。
【００４２】
＜１−３．表示パネル周辺の変形例の構成＞
図５は、表示パネルＰ１周辺の変形例１を示す上面図である。なお、図５の上側が、表示パネルＰ１の正面側（聴取者側）であって、図５の下側が、表示パネルＰ１の背面側である。表示パネルＰ１周辺の変形例１の構成は、伝達パネル７１、７２を備える。
【００４３】
伝達パネル７１、７２は、表示パネルＰ１の背面側であって、表示パネルＰ１と振動素子４との間に配置される。伝達パネル７１、７２は、表示パネルＰ１の、背面から見て左右に１枚ずつ、合計２枚配置される。２枚の伝達パネル７１、７２それぞれは、背面から見て表示パネルＰ１の左右方向の半分の大きさと略同じ大きさを有する矩形のパネルである。
【００４４】
伝達パネル７１、７２は、振動素子４の振動を表示パネルＰ１の小領域Ｒ１、Ｒ２に個別に伝達する。すなわち、伝達パネル７１、７２は、表示パネルＰ１を左右２つの小領域Ｒ１、Ｒ２に区分する領域区分体である。領域区分体である伝達パネル７１、７２は、表示パネルＰ１と振動素子４との間に、小領域Ｒ１、Ｒ２毎に個別に配置される。なお、伝達パネル７１、７２は、表示パネルＰ１よりも高い剛性を有することが好ましい。
【００４５】
上記変形例１の構成によれば、音響出力装置は、領域区分体である伝達パネル７１、７２を有するので、剛性が比較的低いディスプレイ素子５であっても、その正面側まで振動を伝達することができる。したがって、より一層効果的に、単一の表示パネルＰ１から複数の音響それぞれを個別に聞き取れるように出力することが可能になる。
【００４６】
図６は、表示パネルＰ１周辺の変形例２を示す上面図である。なお、図６の上側が、表示パネルＰ１の正面側（聴取者側）であって、図６の下側が、表示パネルＰ１の背面側である。表示パネルＰ１周辺の変形例２の構成は、伝達パネル７３を備える。
【００４７】
伝達パネル７３は、表示パネルＰ１の背面側であって、表示パネルＰ１と振動素子４との間に配置される。伝達パネル７３は、背面から見て表示パネルＰ１と略同じ大きさを有する矩形のパネルである。
【００４８】
伝達パネル７３は、さらに領域区分体である突起部７３ａを備える。突起部７３ａは、伝達パネル７３の背面から後方に向かって突出する。突起部７３ａは、伝達パネル７３の背面の、左右方向の中央部に配置され、上下方向に直線状に延びる。これにより、領域区分体である突起部７３ａは、表示パネルＰ１を左右２つの小領域Ｒ１、Ｒ２に区分する。伝達パネル７３、表示パネルＰ１よりも高い剛性を有することが好ましい。伝達パネル７３は、振動素子４１、４２の振動を表示パネルＰ１の小領域Ｒ１、Ｒ２に個別に伝達する。
【００４９】
上記変形例１の構成によれば、領域区分体である突起部７３ａを備える単一の伝達パネル７３によって、表示パネルＰ１を左右２つの小領域Ｒ１、Ｒ２に区分することができる。これにより、表示パネルＰ１自体に突起部を設ける必要がなく、部品点数、組立工数の低減を図ることができる。
【００５０】
＜２．第２実施形態＞
＜２−１．音響出力装置の構成＞
図７は、音響出力装置の構成例を示す図である。なお、第２実施形態の基本的な構成は先に説明した第１実施形態と同じであるので、第１実施形態と異なる構成については以下で説明し、第１実施形態と共通する構成については詳細な説明を省略する。
【００５１】
第２実施形態の図７に示す音響出力装置は、距離方向検出部１１を備える。さらに、マイクロコンピュータ１は、ソフトウェア的に実現される機能として、距離方向調整信号出力部１ｄを備える。
【００５２】
距離方向検出部１１は、例えば表示パネルＰ１の正面に配置される。距離方向検出部１１は、例えば距離及び／または方向を検出するセンサを含む。当該センサは、例えば赤外線、超音波、或いはカメラで撮影した画像に基づき、表示パネルＰ１の正面側の聴取者までの距離及び／または方向を検出する。これにより、距離方向検出部１１は、表示パネルＰ１の正面、すなわち音響の出力面から聴取者まで距離及び／または方向を検出する。なお、詳細には、距離方向検出部１１は、例えば聴取者の頭部、両耳までの距離及び／または方向を検出する。
【００５３】
距離方向調整信号出力部１ｄは、距離方向検出部１１から出力される検出信号ＳＧ６を受信する。検出信号ＳＧ６は、表示パネルＰ１の音響の出力面から聴取者まで距離及び／または方向に係る情報を含む。距離方向調整信号出力部１ｄは、検出信号ＳＧ６に基づき、音響信号の搬送波の周波数を聴取者の両耳に個別に音響が届く周波数に変更するための調整信号ＳＧ７を生成し、調整信号ＳＧ７をＤＳＰ２に出力する。
【００５４】
ＤＳＰ２は、音響信号ＳＧ１に対して調整信号ＳＧ７に基づく信号処理を実行する。すなわち、ＤＳＰ２は、音響信号の搬送波の周波数を聴取者の両耳に個別に音響が届く周波数に変更する。このようにして、ＤＳＰ２は、音響信号ＳＧ１を調整信号ＳＧ７に基づき音響信号ＳＧ４に変換し、音響信号ＳＧ４を駆動部３に出力する。
【００５５】
上記第２実施形態の構成によれば、音響出力装置は、聴取者の位置に合わせて、音響信号の搬送波の周波数を聴取者の両耳に個別に音響が届く周波数に変更することができる。さらに、音響出力装置は、小領域Ｒ１、Ｒ２毎に個別に出力した音響を、聴取者の両耳それぞれに個別に届けることが可能である。すなわち、単一の表示パネルＰ１によって、音響のステレオ再生が可能になり、音響が聴取者以外の周囲に届くことを抑制することができる。
【００５６】
＜３．音響の出力手法の実施例＞
続いて、音響出力装置による音響の出力手法の実施例について、以下で説明する。
【００５７】
なお、以下で説明する音響の出力手法は、例えば座席などによって予め定められた位置の聴取者に対して適用しても良い。また、以下で説明する音響の出力手法は、任意の位置の聴取者に対して、第２実施形態のように音響の出力面から聴取者まで距離及び／または方向を検出したうえで適用しても良い。
【００５８】
また、以下に示す図では、図の上側が、表示パネルＰ１の正面側（聴取者Ｕ側）であって、図の下側が、表示パネルＰ１の背面側である。また、以下に示す図では、表示パネルＰ１周辺の構成に、第１実施形態の構成を一例として採用したが、変形例１及び２の構成であっても良い。
【実施例１】
【００５９】
＜３−１．実施例１＞
図８は、音響の出力手法の実施例１を示す説明図である。実施例１の場合、聴取者Ｕの位置は、表示パネルＰ１に対して比較的近く、表示パネルＰ１全体の左右方向の中央部Ｃの正面である。
【００６０】
聴取者Ｕの右耳ＹＲは、表示パネルＰ１の小領域Ｒ１の正面側であって、小領域Ｒ１の左右方向の中央部Ｒ１ｃよりも、表示パネルＰ１全体の左右方向の中央部Ｃ側寄りに位置する。聴取者Ｕの左耳ＹＬは、表示パネルＰ１の小領域Ｒ２の正面側であって、小領域Ｒ２の左右方向の中央部Ｒ２ｃよりも、表示パネルＰ１全体の左右方向の中央部Ｃ側寄りに位置する。
【００６１】
小領域Ｒ１の左右方向の中央部Ｒ１ｃから聴取者Ｕの右耳ＹＲまでの距離と、小領域Ｒ２の左右方向の中央部Ｒ２ｃから聴取者Ｕの左耳ＹＬまでの距離とは略同じである。小領域Ｒ１の中央部Ｒ１ｃに対する聴取者Ｕの右耳ＹＲの位置の方向と、小領域Ｒ２の中央部Ｒ２ｃに対する聴取者Ｕの左耳ＹＬの位置の方向とについては、それぞれの、音響の出力面Ｐａの法線に対する角度θの絶対値が略同じである。これにより、聴取者Ｕの右耳ＹＲ及び左耳ＹＬそれぞれに個別に届く音響信号の搬送波の周波数は互いに同じである。
【００６２】
表示パネルＰ１の小領域Ｒ１が出力する音響は、表示パネルＰ１全体の左右方向の中央部Ｃ側に、音響の出力面Ｐａの法線に対して角度θで向かう方向に狭い指向性を有する。そして、小領域Ｒ１が出力する音響は、例えばステレオ再生、またはサラウンド再生の右チャンネルＲｃｈの音響である。これにより、ステレオ再生、またはサラウンド再生の右チャンネルＲｃｈの音響は、聴取者Ｕの右耳ＹＲに届く。
【００６３】
表示パネルＰ１の小領域Ｒ２が出力する音響は、表示パネルＰ１全体の左右方向の中央部Ｃ側に、音響の出力面Ｐａの法線に対して角度θで向かう方向に狭い指向性を有する。そして、小領域Ｒ２が出力する音響は、例えばステレオ再生、またはサラウンド再生の左チャンネルＬｃｈの音響である。これにより、ステレオ再生、またはサラウンド再生の左チャンネルＬｃｈの音響は、聴取者Ｕの左耳ＹＬに届く。
【００６４】
＜３−２．実施例２＞
図９は、音響の出力手法の実施例２を示す説明図である。実施例２の場合、聴取者Ｕの位置は、表示パネルＰ１に対して比較的近く、表示パネルＰ１全体の左右方向の中央部Ｃの正面である。
【００６５】
聴取者Ｕの右耳ＹＲは、表示パネルＰ１の小領域Ｒ１の正面側であって、小領域Ｒ１の左右方向の中央部Ｒ１ｃよりも、表示パネルＰ１全体の左右方向の外側寄りに位置する。聴取者Ｕの左耳ＹＬは、表示パネルＰ１の小領域Ｒ２の正面側であって、小領域Ｒ２の左右方向の中央部Ｒ２ｃよりも、表示パネルＰ１全体の左右方向の外側寄りに位置する。
【００６６】
表示パネルＰ１の小領域Ｒ１が出力する音響は、表示パネルＰ１全体の左右方向の外側に、音響の出力面Ｐａの法線に対して角度θで向かう方向に狭い指向性を有する。そして、小領域Ｒ１が出力する音響は、例えばステレオ再生、またはサラウンド再生の右チャンネルＲｃｈの音響である。これにより、ステレオ再生、またはサラウンド再生の右チャンネルＲｃｈの音響は、聴取者Ｕの右耳ＹＲに届く。
【００６７】
表示パネルＰ１の小領域Ｒ２が出力する音響は、表示パネルＰ１全体の左右方向の外側に、音響の出力面Ｐａの法線に対して角度θで向かう方向に狭い指向性を有する。そして、小領域Ｒ２が出力する音響は、例えばステレオ再生、またはサラウンド再生の左チャンネルＬｃｈの音響である。これにより、ステレオ再生、またはサラウンド再生の左チャンネルＬｃｈの音響は、聴取者Ｕの左耳ＹＬに届く。
【００６８】
＜３−３．実施例３＞
図１０は、音響の出力手法の実施例３を示す説明図である。実施例３の場合、聴取者Ｕの位置は、表示パネルＰ１に対して比較的遠く、表示パネルＰ１全体の左右方向の中央部Ｃの正面である。
【００６９】
表示パネルＰ１の小領域Ｒ１が出力する音響は、表示パネルＰ１全体の左右方向の中央部Ｃを越え、小領域Ｒ２の正面側まで、音響の出力面Ｐａの法線に対して角度θで向かう方向に狭い指向性を有する。そして、小領域Ｒ１が出力する音響は、例えばステレオ再生、またはサラウンド再生の左チャンネルＬｃｈの音響である。これにより、ステレオ再生、またはサラウンド再生の左チャンネルＬｃｈの音響は、聴取者Ｕの左耳ＹＬに届く。
【００７０】
表示パネルＰ１の小領域Ｒ２が出力する音響は、表示パネルＰ１全体の左右方向の中央部Ｃを越え、小領域Ｒ１の正面側まで、音響の出力面Ｐａの法線に対して角度θで向かう方向に狭い指向性を有する。そして、小領域Ｒ２が出力する音響は、例えばステレオ再生、またはサラウンド再生の右チャンネルＲｃｈの音響である。これにより、ステレオ再生、またはサラウンド再生の右チャンネルＲｃｈの音響は、聴取者Ｕの右耳ＹＲに届く。
【００７１】
＜３−４．実施例４＞
図１１は、音響の出力手法の実施例４を示す説明図である。実施例４の場合、２人の聴取者Ｕ１、Ｕ２が存在する。聴取者Ｕ１の位置は、表示パネルＰ１の小領域Ｒ１の正面であり、聴取者Ｕ２の位置は、表示パネルＰ１の小領域Ｒ２の正面である。
【００７２】
表示パネルＰ１の小領域Ｒ１が出力する音響は、小領域Ｒ１の左右方向の中央部Ｒ１ｃを中心として左右対称な角度θの２方向それぞれに狭い指向性を有する。そして、小領域Ｒ１が出力する音響は、例えばステレオ再生、またはサラウンド再生の右チャンネルＲｃｈの音響である。これにより、ステレオ再生、またはサラウンド再生の右チャンネルＲｃｈの音響は、聴取者Ｕ１の右耳ＹＲ１と、聴取者Ｕ２の右耳ＹＲ２と、にそれぞれ届く。
【００７３】
表示パネルＰ１の小領域Ｒ２が出力する音響は、小領域Ｒ２の左右方向の中央部Ｒ２ｃを中心として左右対称な角度θの２方向それぞれに狭い指向性を有する。そして、小領域Ｒ２が出力する音響は、例えばステレオ再生、またはサラウンド再生の左チャンネルＬｃｈの音響である。これにより、ステレオ再生、またはサラウンド再生の左チャンネルＬｃｈの音響は、聴取者Ｕ１の左耳ＹＬ１と、聴取者Ｕ２の左耳ＹＬ２と、にそれぞれ届く。
【００７４】
＜３−５．実施例５＞
図１２は、音響の出力手法の実施例５を示す説明図である。実施例５の場合、１人の聴取者Ｕが存在し、聴取者Ｕの位置は、表示パネルＰ１の小領域Ｒ１の正面である。
【００７５】
小領域Ｒ１の左右方向の中央部Ｒ１ｃから聴取者Ｕの右耳ＹＲまでの距離と、小領域Ｒ２の左右方向の中央部Ｒ２ｃから聴取者Ｕの左耳ＹＬまでの距離とは異なる。小領域Ｒ１の中央部Ｒ１ｃに対する聴取者Ｕの右耳ＹＲの位置の方向と、小領域Ｒ２の中央部Ｒ２ｃに対する聴取者Ｕの左耳ＹＬの位置の方向とについては、それぞれの、音響の出力面Ｐａの法線に対する角度θ１、θ２の絶対値が異なる。
【００７６】
音響の出力面Ｐａの法線に対する角度は、音響信号の搬送波の周波数が大きいほど小さくなる。小領域Ｒ１の音響の出力面Ｐａの法線に対する角度θ１は、小領域Ｒ２の音響の出力面Ｐａの法線に対する角度θ２よりも小さいので、小領域Ｒ１の音響信号の搬送波の周波数ｆ１は、小領域Ｒ２の音響信号の搬送波の周波数ｆ２よりも大きい。このように、聴取者Ｕの右耳ＹＲ及び左耳ＹＬそれぞれに個別に届く音響信号の搬送波の周波数ｆ１、ｆ２は互いに異なる。すなわち、音響信号の搬送波の周波数ｆ１、ｆ２は、小領域Ｒ１、Ｒ２ごとに異なる。
【００７７】
表示パネルＰ１の小領域Ｒ１が出力する音響は、表示パネルＰ１全体の左右方向の外側に、音響の出力面Ｐａの法線に対して角度θ１で向かう方向に狭い指向性を有する。そして、小領域Ｒ１が出力する音響は、例えばステレオ再生、またはサラウンド再生の右チャンネルＲｃｈの音響である。これにより、ステレオ再生、またはサラウンド再生の右チャンネルＲｃｈの音響は、聴取者Ｕの右耳ＹＲに届く。
【００７８】
表示パネルＰ１の小領域Ｒ２が出力する音響は、表示パネルＰ１全体の左右方向の中央部Ｃを越え、小領域Ｒ１の正面側まで、音響の出力面Ｐａの法線に対して角度θ２で向かう方向に狭い指向性を有する。そして、小領域Ｒ２が出力する音響は、例えばステレオ再生、またはサラウンド再生の左チャンネルＬｃｈの音響である。これにより、ステレオ再生、またはサラウンド再生の左チャンネルＬｃｈの音響は、聴取者Ｕの左耳ＹＬに届く。
【００７９】
上記実施例によれば、小領域Ｒ１、Ｒ２毎に出力される音響は、ステレオ再生、またはサラウンド再生の各チャンネル、例えば右チャンネルＲｃｈ、左チャンネルＬｃｈの音響であるので、音響出力装置によってステレオ再生、またはサラウンド再生が可能になる。
【００８０】
また、例えば聴取者が表示パネルＰ１の正面中央ではなく、左右いずれかに偏在する場合、音響信号の搬送波の周波数は、小領域Ｒ１、Ｒ２毎に異なる。これにより、小領域Ｒ１、Ｒ２毎に個別に、音響を出力する方向を調整することができる。さらに、２つの小領域Ｒ１、Ｒ２による搬送波の干渉を抑制することができる。したがって、音響出力装置は、小領域Ｒ１、Ｒ２毎に個別に出力した音響を、聴取者の両耳それぞれに個別に届けることが可能である。
【００８１】
＜４．その他＞
本明細書中に開示されている種々の技術的特徴は、上記実施形態のほか、その技術的創作の主旨を逸脱しない範囲で種々の変更を加えることが可能である。すなわち、上記実施形態は全ての点で例示であって、制限的なものではないと考えられるべきである。本発明の技術的範囲は上記実施形態の説明ではなく、特許請求の範囲によって示されるものであり、特許請求の範囲と均等の意味及び範囲内に属する全ての変更が含まれると理解されるべきである。
【００８２】
また、上記実施形態では、プログラムに従ったＣＰＵの演算処理によってソフトウェア的に各種の機能が実現されていると説明したが、これらの機能のうちの一部は電気的なハードウェア回路によって実現されても良い。また逆に、ハードウェア回路によって実現されるとした機能のうちの一部は、ソフトウェア的に実現されても良い。
【符号の説明】
【００８３】
３      駆動部
４、４１、４２      振動素子
５      ディスプレイ素子
５ａ      突起部（領域区分体）
６      カバーパネル
１１      距離方向検出部
７１、７２      伝達パネル（領域区分体）
７３      伝達パネル
７３ａ      突起部（領域区分体）
Ｐ１      表示パネル
Ｐａ      出力面
Ｒ１、Ｒ２    小領域
Ｕ、Ｕ１、Ｕ２      聴取者
【図１】
2019186836.tif 000003
【図２】
2019186836.tif 000004
【図３】
2019186836.tif 000005
【図４】
2019186836.tif 000006
【図５】
2019186836.tif 000007
【図６】
2019186836.tif 000008
【図７】
2019186836.tif 000009
【図８】
2019186836.tif 000010
【図９】
2019186836.tif 000011
【図１０】
2019186836.tif 000012
【図１１】
2019186836.tif 000013
【図１２】
2019186836.tif 000014